【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
略矩形形状の床材本体と、
この床材本体の裏面に粘着剤を介して取り付けられ、軟質の略矩形形状のシート状部
材とを備え、
前記床材本体の厚みは、約１ｍｍ〜約８ｍｍであり、
前記シート状部材の厚みは、約０．５ｍｍ〜約５ｍｍであり、
前記シート状部材は、略全体に亘って粘着剤が塗布され、
前記粘着剤は、前記床材本体に面する側であり、
前記シート状部材の平面視形状と前記床材本体の平面視形状とは、略同じ大きさであ
り、
前記シート状部材は、前記床材本体の短辺、この短辺に連なる前記床材本体の一の長
辺及びこの一の長辺と前記床材本体の前記短辺とで形成されるコーナー部より突出した突
出部を有し、
この突出部の長辺である前記シート状部材の長辺と前記床材本体の長辺とは、平行で
あり、
前記突出部の短辺である前記シート状部材の短辺と前記床材本体の短辺とは、平行で
あり、
前記床材本体の裏面は、前記シート状部材が突出した分、前記シート状部材で覆われ
ないで露出して露出部が形成されている
ことを特徴とする床材。
【請求項２】
略矩形形状の床材本体と、
この床材本体の裏面全体に亘って塗布された粘着剤と、
この粘着剤を介して前記床材本体の裏面に取り付けられた軟質の略矩形形状のシート
状部材とを備え、
前記床材本体の厚みは、約１ｍｍ〜約８ｍｍであり、
前記シート状部材の厚みは、約０．５ｍｍ〜約５ｍｍであり、
前記シート状部材の平面視形状と前記床材本体の平面視形状とは、略同じ大きさであ
り、
前記シート状部材は、前記床材本体の短辺、この短辺に連なる前記床材本体の一の長
辺及びこの一の長辺と前記床材本体の前記短辺とで形成されるコーナー部より突出した突
出部を有し、
この突出部の長辺である前記シート状部材の長辺と前記床材本体の長辺とは、平行で
あり、
前記突出部の短辺である前記シート状部材の短辺と前記床材本体の短辺とは、平行で
あり、
前記床材本体の裏面は、前記シート状部材が突出した分、前記シート状部材で覆われ
ないで露出して前記粘着剤が塗布された露出部が形成されている
ことを特徴とする床材。
【請求項３】
施工面に請求項１記載の床材のシート状部材を当接して前記床材を敷き詰めて形成さ
れる床面であって、
前記シート状部材の粘着剤を介して隣接する床材本体同士を接続する
ことを特徴とする床面。
【請求項４】
施工面に請求項２記載の床材のシート状部材を当接して前記床材を敷き詰めて形成さ
れる床面であって、
露出部にある粘着剤を介して隣接する床材本体同士を接続する
ことを特徴とする床面。
【請求項５】
露出部に離剥紙が付着して、前記露出部を覆っている
ことを特徴とする 請求項１又は請求項２記載の床材。
【請求項６】
施工面がカーペットであって、
このカーペットの上に請求項１又は請求項２記載の床材を敷き詰め、
請求項１又は請求項２記載のシート状部材の施工面側に、前記カーペットに係止する
係止部材を備えた面状ファスナーを取り付け、
前記面状ファスナーの係止部材が前記カーペットに係止している
ことを特徴とする床面。
【請求項７】
ＯＡフロアをカーペットで覆い、このカーペットを請求項１又は請求項２記載の床材
を敷き詰めて覆う
ことを特徴とする請求項６記載の床面。
【請求項８】
略矩形形状の床材本体と、
この床材本体の裏面に付着して取り付けられ、軟質の略矩形形状のシート状部材とを
備え、
前記床材本体の厚みは、約１ｍｍ〜約８ｍｍであり、
前記シート状部材の厚みは、約０．５ｍｍ〜約５ｍｍであり、
前記シート状部材は、略全体に亘って粘着剤が塗布され、
前記シート状部材の平面視形状と前記床材本体の平面視形状とは、略同じ大きさであ
り、
前記シート状部材は、前記床材本体の短辺、この短辺に連なる前記床材本体の一の長
辺及びこの一の長辺と前記床材本体の前記短辺とで形成されるコーナー部より突出した突
出部を有し、
この突出部の長辺である前記シート状部材の長辺と前記床材本体の長辺とは、平行で
あり、
前記突出部の短辺である前記シート状部材の短辺と前記床材本体の短辺とは、平行で
あり、
前記床材本体の裏面は、前記シート状部材が突出した分、前記シート状部材で覆われ
ないで露出して露出部が形成され、
この露出部の表面に略全体に亘って第１の面状ファスナーが設けられ、
前記シート状部材の突出した部位の表面の略全体に亘って第２の面状ファスナーが設
けられ、
前記第１の面状ファスナーが雄型であれば、前記第２の面状ファスナーは雌型であり
、
前記第１の面状ファスナーが雌型であれば、前記第２の面状ファスナーは雄型であり
、
前記第１の面状ファスナーが雄雌型であれば、前記第２の面状ファスナーは雄雌型で
ある
ことを特徴とする床材。
【請求項９】
カーペットの上に敷き詰める略矩形形状の床材本体であって、
前記床材本体の裏面に、前記カーペットに係止する係止部材を備えた面状ファスナー
を取り付けた
ことを特徴とする床材。
【手続補正２】
【補正対象書類名】明細書
【補正対象項目名】０００７
【補正方法】変更
【補正の内容】
【０００７】
また、請求項２記載の床材は、略矩形形状の床材本体と、この床材本体の裏面全体に
亘って塗布された粘着剤と、この粘着剤を介して前記床材本体の裏面に取り付けられた軟
質の略矩形形状のシート状部材とを備え、前記床材本体の厚みは、約１ｍｍ〜約８ｍｍで
あり、前記シート状部材の厚みは、約０．５ｍｍ〜約５ｍｍであり、前記シート状部材の
平面視形状と前記床材本体の平面視形状とは、略同じ大きさであり、前記シート状部材は
、前記床材本体の短辺、この短辺に連なる前記床材本体の一の長辺及びこの一の長辺と前
記床材本体の前記短辺とで形成されるコーナー部より突出した突出部を有し、この突出部
の長辺である前記シート状部材の長辺と前記床材本体の長辺とは、平行であり、前記突出
部の短辺である前記シート状部材の短辺と前記床材本体の短辺とは、平行であり、前記床
材本体の裏面は、前記シート状部材が突出した分、前記シート状部材で覆われないで露出
して前記粘着剤が塗布された露出部が形成されているものである。
【手続補正３】
【補正対象書類名】明細書
【補正対象項目名】０００８
【補正方法】変更
【補正の内容】
【０００８】
また、請求項３記載の床面は、施工面に請求項１記載の床材のシート状部材を当接し
て前記床材を敷き詰めて形成される床面であって、前記シート状部材の粘着剤を介して隣
接する床材本体同士を接続するものである。
【手続補正４】
【補正対象書類名】明細書
【補正対象項目名】０００９
【補正方法】変更
【補正の内容】
【０００９】
また、請求項４記載の床面は、施工面に請求項２記載の床材のシート状部材を当接し
て前記床材を敷き詰めて形成される床面であって、露出部にある粘着剤を介して隣接する
床材本体同士を接続するものである。
【手続補正５】
【補正対象書類名】明細書
【補正対象項目名】００１０
【補正方法】変更
【補正の内容】
【００１０】
また、請求項５記載の床材は、請求項１又は請求項２記載の床材において、露出部に
離剥紙が付着して、前記露出部を覆っているものである。
【手続補正６】
【補正対象書類名】明細書
【補正対象項目名】００１１
【補正方法】変更
【補正の内容】
【００１１】
また、請求項６記載の床面は、施工面がカーペットであって、このカーペットの上に
請求項１又は請求項２記載の床材を敷き詰め、請求項１又は請求項２記載のシート状部材
の施工面側に、前記カーペットに係止する係止部材を備えた面状ファスナーを取り付け、
前記面状ファスナーの係止部材が前記カーペットに係止しているものである。
【手続補正７】
【補正対象書類名】明細書
【補正対象項目名】００１２
【補正方法】変更
【補正の内容】
【００１２】
また、請求項７記載の床面は、請求項６記載の床面において、ＯＡフロアをカーペッ
トで覆い、このカーペットを請求項１又は請求項２記載の床材を敷き詰めて覆うものであ
る。
【手続補正８】
【補正対象書類名】明細書
【補正対象項目名】００１６
【補正方法】変更
【補正の内容】
【００１６】
また、請求項２記載の床材によれば、床材の運搬、保管等のために粘着剤が露出した
床材本体を積層しても、床材本体の粘着剤が塗布された露出部と該露出部に対向するシー
ト状部材の部位とは、床材本体の厚み（約１ｍｍ〜約８ｍｍ）の間隔を有しているため、
床材本体の粘着剤が塗布された露出部と該露出部に対向するシート状部材の部位とが付着
するのを防いで使用勝手を向上させ、
また、施工面に略矩形形状の床材本体を上下及び／又は左右に敷き詰めれば、突出部
の表面にある粘着剤を介して隣接する床材本体同士を簡易且つ迅速に接続することができ
、更に、部分的に簡単に剥がせる使用勝手の良好な床材をえることができる。
しかも、床材本体の裏面に付着したシート状部材は軟質性のため、シート状部材が床
材本体の裏面の形状に沿うことができ強力に接着するのみならず、前記床材本体に隣接す
る床材本体の裏面にも追随し、隣接する床材本体の裏面の形状に沿うことができ強力に接
着し、更に、床材本体に点荷重（集中荷重）が加わっても、床材本体同士はシート状部材
を介して接続されているため、点荷重（集中荷重）が加わった床材本体のみならず、点荷
重（集中荷重）が加わった床材本体にシート状部材を介して接続された床材本体をも追随
するため、隣接する床材本体との境界部に隙間が生じるのを防ぎ（隙間が生じると、隣接
する床板本体との間に段差が生じ、躓いたり、隙間からゴミ等が侵入する不具合が生じる
。）、加えて、施工面に多少の不陸（凹凸）があっても、軟質性のシート状部材により不
陸（凹凸）を吸収することができるため、床材本体の表面の平坦面を保持することができ
る等使用勝手を向上させることができる。
【手続補正９】
【補正対象書類名】明細書
【補正対象項目名】００１７
【補正方法】変更
【補正の内容】
【００１７】
また、請求項３記載の床面によれば、床面を施工するに当たって、床材の運搬、保管
等のために粘着部が露出した床材本体を積層しても、上下方向に隣接したシート状部材の
距離は、床材本体の厚み（約１ｍｍ〜約８ｍｍ）の間隔を有しているため、上下方向に隣
接したシート状部材同士が付着するのを防いで使用勝手を向上させ、
また、施工面に略矩形形状の床材本体を上下及び／又は左右に敷き詰めれば、突出部
の表面にある粘着剤を介して隣接する床材本体同士を簡易且つ迅速に接続することができ
、更に、部分的に簡単に剥がせる使用勝手の良好な床材をえることができる。
しかも、軟質のシート状部材は、略全体に亘って粘着剤が塗布され、シート状部材が
軟質性のため、シート状部材が床材本体の裏面の形状に沿うことができ強力に接着するの
みならず、前記床材本体に隣接する床材本体の裏面にも追随し、隣接する床材本体の裏面
の形状に沿うことができ強力に接着し、更に、床材本体に点荷重（集中荷重）が加わって
も、シート状部材は、約０．５ｍｍ〜約５ｍｍと厚みがあって、ある程度腰があるシート
状部材を介して床材本体同士は接続されているため、点荷重（集中荷重）が加わった床材
本体のみならず、点荷重（集中荷重）が加わった床材本体にシート状部材を介して接続さ
れた床材本体をも追随するため、隣接する床材本体との境界部に隙間が生じるのを防ぎ（
隙間が生じると、隣接する床板本体との間に段差が生じ、躓いたり、隙間からゴミ等が侵
入する不具合が生じる。）、加えて、軟質性のシート状部材の厚みが、約０．５ｍｍ〜約
５ｍｍであるため、施工面に多少の不陸（凹凸）があっても、軟質性のシート状部材によ
り不陸（凹凸）を吸収して、床材本体の表面の平坦面を保持することができる等使用勝手
を向上させることができる等使用勝手を向上させることができる。